(57)【要約】【課題】  回転掻上げブラシにより掻上げられた塵埃を回転搬送部材によってホッパーへ搬送するスイーパーにおいて、搬送時に塵埃がこぼれ落ちることなく効率的に回収できるスイーパーを提供する。【解決手段】  走行台車と、前記走行台車の下部に配設されて塵埃を掻上げる回転掻上げブラシと、前記回転掻上げブラシにより掻上げられた塵埃を貯留するホッパーと、前記回転掻上げブラシとホッパーとの間に塵埃を搬送する回転搬送部材を備えたスイーパーにおいて、前記回転搬送部材の回転軸に対して搬送板を放射状に配設するとともに、前記回転軸の軸方向の両端のケーシング側板において前記搬送板が回転される外径の範囲内で外気取入れのための開口部を設けたことを特徴とするスイーパー。【選択図】図２
2011021391.tif 000002
【特許請求の範囲】
【請求項１】
走行台車と、前記走行台車の下部に配設されて塵埃を掻上げる回転掻上げブラシと、前記回転掻上げブラシにより掻上げられた塵埃を貯留するホッパーと、前記回転掻上げブラシとホッパーとの間に塵埃を搬送する回転搬送部材を備えたスイーパーにおいて、前記回転搬送部材の回転軸に対して搬送板を放射状に配設するとともに、前記回転軸の軸方向の両端のケーシング側板において前記搬送板が回転される外径の範囲内で外気取入れのための開口部を設けたことを特徴とするスイーパー。
【請求項２】
回転掻上げブラシの回転軸に対してブラシを放射状に配設するとともに、前記回転軸の軸方向の両端のケーシング側板において前記ブラシが回転される外径の範囲内で外気取入れのための開口部を設けたことを特徴とする請求項１に記載のスイーパー。
【請求項３】
開口部が回転軸を中心に対称的な位置及び形状で配置されていることを特徴とする請求項１又は２に記載のスイーパー。
【請求項４】
回転軸がケーシング側板の外側で支持されていることを特徴とする請求項１又は２に記載のスイーパー。
【発明の詳細な説明】
【技術分野】
【０００１】
本発明は、ゴルフ場、公園などにおいて、刈った後の芝カスなどの塵埃を回収するス
イーパーに関するものである。
【背景技術】
【０００２】
従来のこの種のスイーパーを図１を使用して説明する。図１は従来のスイーパーの全体側面図である。図において、１はエンジン２により自走する走行台車で、前輪１ａと後輪１ｂを有する。３は走行台車１の下部に配設した回転掻上げブラシで、塵埃等を掻上げて上部へすくい上げる。４は塵埃を入れるホッパー、５は回転掻上げブラシ３とホッパー４との間に設けられ、回転掻上げブラシ３で掻上げられた塵埃をホッパー４へ搬送する回転搬送部材である。かかるスイーパーは、エンジン２により走行しながら、回転掻上げブラシ３により塵埃を掻上げ、掻上げられた塵埃を回転搬送部材５によってホッパー４内に回収するようになっている。
【０００３】
ゴルフ場、公園などの塵埃には、芝刈機で刈った場合の芝カスばかりでなく、サッチングリール（刃）により掻き出したサッチや（コア抜き用）タインにより抜いたコアなどもあり、このサッチやコアの量は芝カスに比べるとはるかに多いものである。このように塵埃の量が多い場合、従来のスイーパーにより清掃作業を行なうと、回転搬送部材の両端とケーシング側板との隙間より塵埃が下へこぼれ落ちて取り残され、スイーパーの清掃効果を悪くし、作業効率を低くする問題点があった。
【発明の概要】
【発明が解決しようとする課題】
【０００４】
本発明は、かかる従来技術の問題点を解消するために創案されたものであり、その目的は、回転掻上げブラシにより掻上げられた塵埃を回転搬送部材によってホッパーへ搬送するスイーパーにおいて、搬送時に塵埃がこぼれ落ちることなく効率的に回収できるスイーパーを提供することにある。
【課題を解決するための手段】
【０００５】
本発明者は、かかる目的を達成するために鋭意検討した結果、回転搬送部材の回転軸の両端のケーシング側板に外気を取入れるための開口部を設けることによって回転搬送部材をファンとして利用してエゼクター作用で回転掻上げブラシにより掻上げられた塵埃等をホッパーへこぼれ落ちることなく回収できることを見出した。また、同様の開口部を回転掻上げブラシの回転軸の両端のケーシング側板にも設けることによって塵埃等の効率良い回収作業ができることを見出した。
【０００６】
本発明は、かかる知見に基づいて完成したものであり、本発明は、走行台車と、前記走行台車の下部に配設されて塵埃を掻上げる回転掻上げブラシと、前記回転掻上げブラシにより掻上げられた塵埃を貯留するホッパーと、前記回転掻上げブラシとホッパーとの間に塵埃を搬送する回転搬送部材を備えたスイーパーにおいて、前記回転搬送部材の回転軸に対して搬送板を放射状に配設するとともに、前記回転軸の軸方向の両端のケーシング側板において前記搬送板が回転される外径の範囲内で外気取入れのための開口部を設けたことを特徴とするスイーパーである。
【０００７】
本発明のスイーパーの好ましい態様は以下の（１）〜（３）の特徴を有する。
（１）回転掻上げブラシの回転軸に対してブラシを放射状に配設するとともに、前記回転軸の軸方向の両端のケーシング側板において前記ブラシが回転される外径の範囲内で外気取入れのための開口部を設けたことを特徴とする。
（２）開口部が回転軸を中心に対称的な位置及び形状で配置されていることを特徴とする。
（３）回転軸がケーシング側板の外側で支持されていることを特徴とする。
【発明の効果】
【０００８】
本発明のスイーパーは、回転搬送部材の回転軸の両端のケーシング側板に外気取入れのための開口部を設けているので、掻上げられた塵埃をこぼれ落ちることなく効率良く回収することができる。また、回転掻上げブラシの回転軸の両端のケーシング側板にも外気取入れのための開口部を設けているので、塵埃の回収を確実に行なうことができる。
【図面の簡単な説明】
【０００９】
【図１】従来のスイーパーの全体側面図である。
【図２】本発明のスイーパーの一実施形態の全体側面図である。
【図３】図２の要部の側面図である。
【図４】回転搬送部材の斜視図である。
【図５】回転掻上げブラシの斜視図である。
【図６】本発明のスイーパーの別の実施形態の全体側面図である。
【図７】図６の要部の説明図である。
【発明を実施するための形態】
【００１０】
本発明のスイーパーの実施形態を図面に基づいて説明するが、本発明はこれらに限定されるものではない。
【００１１】
図２は本発明のスイーパーの一実施形態の全体側面図、図３は図２の回転掻上げブラシと回転搬送部材の部分を拡大した要部側面図、図４は回転搬送部材の斜視図、図５は回転掻上げブラシの斜視図である。図において前記従来のもの（図１）と同一又は相当部分は同一符号を付けて説明を省略する。
【００１２】
図３，４からわかるように、回転搬送部材５は、回転軸１０に対して略長方形の搬送板８をその長辺が回転軸１０と略平行になるように放射状に複数配設し、エンジン２の駆動による油圧モータ（図示せず）によって回転する。この搬送板８が回転すると、ファンの役目をしてケーシング側板１２の開口部６より外気を取り込み、その外気は回転軸１０の軸方向の両端部から中央へ集まり、そしてホッパー４の方へ流れるようになる。従って、回転搬送部材５の回転軸１０の両端とケーシング側板１２との隙間に塵埃が移動しても、取り込まれた外気により塵埃はすぐに回転軸１０の中央へ戻り、前記隙間からこぼれ落ちることがなくホッパー４に回収される。
【００１３】
開口部６は、搬送板８が回転される外径の範囲内（即ち、図３で示す回転軸１０を中心として搬送板８を半径として回転させた円内）で設けられることが必要である。この範囲外まで開口部６を広げると、塵埃がホッパー４の方へ移動しにくくなるおそれがある。開口部６の面積は搬送板８が回転される外径で囲まれる円の面積の５〜９０％、好ましくは１５〜８０％であることが好ましい。開口面積が上記範囲未満では外気取入れ効果が少なくなり、上記範囲を越えるとケーシング側板１２の回転軸１０の支持部分が小さくなり弱くなるおそれがある。また、開口部６は、回転搬送部材５の複数の搬送板８で区切られる部分に均等に外気を取入れるために、回転軸１０を中心に対称的な位置及び形状で配置されることが好ましい。
【００１４】
図３，５からわかるように、回転掻上げブラシ３は、回転軸１１から垂直に略同じ長さだけ突出したブラシ９を放射状に複数配設し、エンジン２の駆動による油圧モータ（図示せず）によって回転する。このブラシ９が回転すると、搬送板８と同様にファンの役目をしてケーシング側板１２の開口部７より外気を取り込み、その外気は回転軸１１の軸方向の両端部から中央へ集まり、そして回転搬送部材５の方へ流れるようになる。従って、開口部７から取り込まれた外気により、回転掻上げブラシ３の回転軸１１の両端とケーシング１２との隙間に塵埃が移動しても、取り込まれた外気により塵埃はすぐに回転軸１１の中央へ戻り、前記隙間からこぼれ落ちることなく回転搬送部材５に回収される。
【００１５】
開口部７は、開口部６と同様の理由からブラシ９が回転される外径の範囲内（即ち、図３で示す回転軸１１を中心としてブラシ９を半径として回転させた円内）で設けられることが必要であり、好適な開口部の面積、開口部の配置方法も開口部６と同じである。回転搬送部材５のための開口部６だけでなく回転掻上げブラシ３のための開口部７を設けることによって塵埃のこぼれ落ち防止効果はさらに向上する。
【００１６】
図６は本発明のスイーパーの別の実施形態の全体側面図、図７は図６の回転掻上げブラシと回転搬送部材の各回転軸の端部の支持部がわかるようにした説明図である。図において前記従来のもの（図１）と既に説明した本発明の実施形態（図２〜５）と同一又は相当部分は同一符号を付けて説明を省略する。
【００１７】
図６，７に示される実施形態は、図２〜５の実施形態とは異なり、回転搬送部材５の回転軸１０及び回転掻上げブラシ３の回転軸１１が、開口部を設けたケーシング側板１２に支持されず、それぞれケーシング側板１２の外側の支持部１３，１４で支持されていることを特徴とする。この実施形態では、ケーシング側板１２に設けられる開口部６，７は、ケーシング側板１２に回転軸１０，１１の支持部を設ける必要がないため、回転軸１０，１１が通る部分を除いて面積を最大限拡大することができ、回転軸１０，１１の支持部の心配をせずに開口部６，７からの外気取入れ量を増大することができる。
【産業上の利用可能性】
【００１８】
本発明のスイーパーは、回転搬送部材の回転軸又は回転掻上げブラシの回転軸の両端とケーシング側板の間に塵埃を移動させないように回収できるので、清浄効果が高く、作業効率が高い。従って、本発明のスイーパーは、ゴルフ場、公園などの芝カス、サッチ、コアの塵埃の回収作業のために極めて有用である。
【符号の説明】
【００１９】
１    走行台車
１ａ  前輪
１ｂ  後輪
２    エンジン  
３    回転掻上げブラシ  
４    ホッパー  
５    回転搬送部材
６    開口部
７    開口部
８    搬送板
９    ブラシ
１０  回転軸
１１  回転軸
１２  ケーシング側板
１３  支持部
１４  支持部
【図１】
2011021391.tif 000003
【図２】
2011021391.tif 000004
【図３】
2011021391.tif 000005
【図４】
2011021391.tif 000006
【図５】
2011021391.tif 000007
【図６】
2011021391.tif 000008
【図７】
2011021391.tif 000009